(57)【要約】【課題】低コストでかつ長期間に亘って防水性能を維持できるようにする。【解決手段】防水構造は、デッキプレート１０に対して複数箇所が締結固定される断熱パネル１２と、断熱パネル１２の上面に敷設される合成樹脂製の防水シート１５とを備えている。断熱パネル１２は、断熱材１２ａと、被覆材を有する金属外皮１２ｂとを備えている。断熱パネル１２の下面は断熱材１２ａが露出するように構成されている。【選択図】図１
2019105154.tif 000002
【特許請求の範囲】
【請求項１】
平部が一方向に傾斜した勾配屋根の防水構造において、
上記勾配屋根の防水下地の上に互いに隣接するように複数枚並設され、該防水下地に対して複数箇所が締結固定もしくは接着固定される断熱パネルと、
上記断熱パネルの上面に敷設される合成樹脂製の防水シートとを備え、
上記断熱パネルは、断熱材と、該断熱材の上面に接着された基材金属板及び該基材金属板の上面を被覆する樹脂製の被覆材を有する金属外皮とを備えるとともに、上記断熱パネルの下面は上記断熱材が露出するように構成され、
上記防水シートの下面は上記金属外皮に接合されていることを特徴とする防水構造。
【請求項２】
請求項１に記載の防水構造において、
上記断熱材は矩形状に成形され、
上記断熱材の少なくとも１辺は、上記金属外皮の縁部から張り出すように形成されていることを特徴とする防水構造。
【請求項３】
請求項２に記載の防水構造において、
上記断熱材の連続する２辺は、上記金属外皮の縁部から張り出すように形成されていることを特徴とする防水構造。
【請求項４】
請求項２または３に記載の防水構造において、
上記断熱パネルの上記断熱材における上記金属外皮の縁部から張り出した部分の上面と、上記金属外皮の上面とは同一面上に位置するように形成されていることを特徴とする防水構造。
【請求項５】
請求項１から３のいずれか１つに記載の防水構造において、
上記断熱パネルの端部には、隣接する他の上記断熱パネルに嵌合する凹部または凸部が形成されていることを特徴とする防水構造。
【請求項６】
請求項１から５のいずれか１つに記載の防水構造において、
上記断熱パネルの上記断熱材は、イソシアヌレートフォームもしくは発泡ポリエチレンで構成されていることを特徴とする防水構造。
【請求項７】
請求項１から６のいずれか１つに記載の防水構造において、
上記防水シート及び上記被覆材は、軟質塩化ビニル樹脂またはポリオレフィン樹脂で構成されていることを特徴とする防水構造。
【発明の詳細な説明】
【技術分野】
【０００１】
本発明は、勾配屋根に適用可能な防水構造に関するものであり、特に、平部が一方向に傾斜した構造の技術分野に属する。
【背景技術】
【０００２】
従来より、勾配屋根としては、波板形状の金属板を敷き並べて構成した折板屋根やスレート屋根が知られている（例えば、特許文献１、２参照）。
【０００３】
特許文献１では、折板屋根等の金属製屋根を構成している防水下地の上に板状の断熱部材を敷設し、その断熱部材の上に固定用ディスクを配置して、固定用ビスによって固定用ディスクを防水下地に固定している。固定用ディスクの上面には、ホットメルト接着層を設けている。断熱部材及び固定用ディスクの上に合成樹脂製の防水シートを敷設し、この防水シートを固定用ディスクのホットメルト接着層に接着固定している。
【０００４】
特許文献２では、金属外皮の間に断熱材を介在させた複数の断熱パネルを互いに隣接するように並設し、これら断熱パネルの上に防水シートを敷設している。金属外皮には樹脂層を形成している。防水シートを金属外皮の樹脂層に熱融着している。
【先行技術文献】
【特許文献】
【０００５】
【特許文献１】特開２０１６−７５１０９号公報
【特許文献２】特許第４６８５５９２号公報
【発明の概要】
【発明が解決しようとする課題】
【０００６】
ところで、特許文献１の固定用ビスを用いた固定工法は機械的な固定工法であることから機械的固定工法と呼ばれている。この機械的固定工法の場合、複数の固定用ディスクが所定の間隔をあけて配置されていることから、防水シートにおける固定用ディスク間の部分は非固定状態になることは避けられない。
【０００７】
このような機械的固定工法を前提としたとき、例えば台風のような強い風が吹いた場合を想定すると、一般的に防水シートとして塩化ビニル製のような柔軟性のあるシートが用いられているので、防水シート上を風が吹くことによって当該防水シートにおける固定用ディスク間の部分が補強材から浮き上がるように変形する。防水シートが補強材から浮き上がるように変形すると、固定用ディスクに対して斜め上方向への力が加わることになる。固定用ディスクに加わった力は固定用ビスに作用することになり、固定用ビスにも同様に斜め上方の力が加わることになる。
【０００８】
機械的固定工法による施工が完了した後、初期のうちは風による力よりも固定用ビス及び固定用ディスクによる拘束力の方が勝っているが、施工完了後、何年もの期間が経過して強い風による力が繰り返し作用すると、屋根材が例えばデッキプレートや折板のような比較的薄い板材からなる場合には、繰り返し作用する斜め方向の力のうち、鉛直方向の分力によって屋根材が上方向に変形してしまい、固定用ビスの締め付け力が低下してしまう恐れがある。
【０００９】
固定用ビスの締め付け力が低下してしまうと、繰り返し作用する斜め方向の力のうち、水平方向の分力によって断熱材、補強材が水平方向に動き、同様に固定用ビスの頭部も水平方向に動いてしまうことが考えられる。固定用ビスの頭部の水平方向の動きは、屋根材への螺合部位に作用することになるので、その螺合部位の屋根材を変形させてしまい、これにより固定用ビスが螺合している孔の径が大きくなる。固定用ビスが螺合している孔の径が大きくなると、固定用ビスの拘束力が大きく低下し、その結果、固定用ビスが抜け、防水シートを屋根材に拘束することができず、防水性能が維持できなくなってしまう。
【００１０】
また、特許文献２では、防水シートを断熱パネルの金属外皮に対して熱融着で固定し、断熱パネルを複数のビスで防水下地に固定しているので、特許文献１の固定用ディスクを使用した場合のように局所的な荷重の集中が起こり難くなるという利点がある。
【００１１】
しかしながら、断熱材の上下両面をそれぞれ金属外皮で覆い、上側の金属外皮と下側の金属外皮とを周縁部において断熱材に結合するようにしているので、断熱パネルを構成する部材の数が増えるとともに、製造工程が煩雑化し、ひいてはコスト高を招く。
【００１２】
本発明は、かかる点に鑑みてなされたものであり、その目的とするところは、低コストでかつ長期間に亘って防水性能を維持できるようにすることにある。
【課題を解決するための手段】
【００１３】
上記目的を達成するために、本発明では、断熱材の上面に金属外皮を設ける一方、下面には金属外皮を設けないように断熱パネルを構成し、この断熱パネルを防水下地に対して複数箇所締結固定もしくは接着固定し、金属外皮に防水シートを接合するようにした。
【００１４】
第１の発明は、平部が一方向に傾斜した勾配屋根の防水構造において、上記勾配屋根の防水下地の上に互いに隣接するように複数枚並設され、該防水下地に対して複数箇所が締結固定もしくは接着固定される断熱パネルと、上記断熱パネルの上面に敷設される合成樹脂製の防水シートとを備え、上記断熱パネルは、断熱材と、該断熱材の上面に接着された基材金属板及び該基材金属板の上面を被覆する樹脂製の被覆材を有する金属外皮とを備えるとともに、上記断熱パネルの下面は上記断熱材が露出するように構成され、上記防水シートの下面は上記金属外皮に接合されていることを特徴とする。
【００１５】
この構成によれば、防水下地に複数枚の断熱パネルを互いに隣接するように並設し、各断熱パネルの複数箇所を防水下地に締結固定もしくは接着固定した後、防水シートを敷設して断熱パネルの金属外皮に接合することで勾配屋根の防水構造が得られる。屋内に天井を有する屋根では容易に締結固定が可能であるが、屋内に天井の無い屋根では、締結固定する際に、ビス（締結部材）をねじ込むときにできる金属屑が屋内に飛散するおそれがあるため、接着固定が望ましい。
【００１６】
例えば強い風が吹いた場合を想定すると、防水シートに対して浮くような力が作用するが、この力は断熱パネルの金属外皮との接合部分を介して断熱パネルの複数の締結部分もしくは接着固定部分に伝わることになるので、荷重が複数の締結部分に分散されて作用し、各締結部分に加わる荷重、特に水平方向の荷重が低減する。よって、長期間に亘って防水性能が維持される。
【００１７】
また、断熱パネルはその下面から断熱材が露出していて下面には金属外皮が無いので、特許文献２のように上下に金属外皮を設ける場合に比べて部材の数が減少するとともに、構造がシンプルになる。
【００１８】
第２の発明は、第１の発明において、上記断熱材は矩形状に成形され、上記断熱材の少なくとも１辺は、上記金属外皮の縁部から張り出すように形成されていることを特徴とする。
【００１９】
この構成によれば、断熱材の少なくとも１辺が金属外皮の縁部から張り出しているので、並設した状態で隣合う断熱パネルの金属外皮同士が、例えば熱膨脹等によって干渉しないようにすることができる。
【００２０】
第３の発明は、第２の発明において、上記断熱材の連続する２辺は、上記金属外皮の縁部から張り出すように形成されていることを特徴とする。
【００２１】
この構成によれば、断熱材の連続する２辺が金属外皮の縁部から張り出しているので、並設した状態で２方向に隣合う断熱パネルの金属外皮同士が、例えば熱膨脹等によって干渉しないようにすることができる。
【００２２】
第４の発明は、第２または３の発明において、上記断熱パネルの上記断熱材における上記金属外皮の縁部から張り出した部分の上面と、上記金属外皮の上面とは同一面上に位置するように形成されていることを特徴とする。
【００２３】
この構成によれば、断熱材の金属外皮から張り出した部分と、金属外皮との間に段差が無くなるので、防水シートを敷設したときに防水シート上に窪みができにくくなる。
【００２４】
第５の発明は、第１から３のいずれか１つの発明において、上記断熱パネルの端部には、隣接する他の上記断熱パネルに嵌合する凹部または凸部が形成されていることを特徴とする。
【００２５】
この構成によれば、互いに隣接する断熱パネルを嵌合させて一体化することができる。
【００２６】
第６の発明は、第１から５のいずれか１つの発明において、上記断熱パネルの上記断熱材は、イソシアヌレートフォームもしくは発泡ポリエチレンで構成されていることを特徴とする。
【００２７】
この構成によれば、断熱性能の高い断熱材を軽量にすることができる。
【００２８】
第７の発明は、第１から６のいずれか１つの発明において、上記防水シート及び上記被覆材は、軟質塩化ビニル樹脂またはポリオレフィン樹脂で構成されていることを特徴とする。
【００２９】
この構成によれば、防水シートと被覆材とを強固に接合することができる。
【発明の効果】
【００３０】
本発明によれば、断熱材の上面に金属外皮を設ける一方、下面には金属外皮を設けないように断熱パネルを構成し、この断熱パネルを防水下地に対して複数箇所締結固定もしくは接着固定し、金属外皮に防水シートを接合したので、低コストでかつ長期間に亘って防水性能を維持することが可能な防水構造を得ることができる。
【図面の簡単な説明】
【００３１】
【図１】実施形態１に係る防水構造が適用された屋根の断面図である。
【図２】図１におけるII−II線断面図である。
【図３】図１におけるIII−III線断面図である。
【図４】断熱パネルを上方から見た斜視図である。
【図５】図４のV−V線断面図である。
【図６】変形例に係る断熱パネルの嵌合構造を示す断面図である。
【図７】実施形態２に係る図１相当図である。
【図８】図７におけるVIII−VIII線断面図である。
【図９】図７におけるIX−IX線断面図である。
【図１０】実施形態３に係る図１相当図である。
【図１１】図１０におけるXI−XI線断面図である。
【図１２】実施形態４に係る図１相当図である。
【図１３】実施形態５に係る図１相当図である。
【図１４】図１３におけるXIV−XIV線断面図である。
【図１５】実施形態６に係る図１相当図である。
【図１６】実施形態７に係る図１相当図である。
【図１７】実施形態８に係る図１相当図である。
【発明を実施するための形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３３】
（実施形態１）
図１は、本発明の実施形態１に係る防水構造が適用された屋根１の断面図である。実施形態１は、建物が新築である場合に適用される防水構造である。屋根１は、合成スラブ用デッキプレート１０と、断熱材１１と、断熱パネル１２と、固定用ディスク１３と、固定用ビス１４と、防水シート１５とを備えている。この屋根１は、平部が一方向に傾斜した勾配屋根である。勾配の方向は任意に設定することができる。尚、図１において各部材の断面を示しているが、互いに異なる部位の断面となっている。
【００３４】
合成スラブ用デッキプレート１０は、例えば板厚が１．２ｍｍ程度の金属板を折り曲げることによって構成されている。合成スラブ用デッキプレート１０によって防水下地が構成されている。
【００３５】
断熱材１１は、従来から周知の板状の部材からなるものであり、デッキプレート１０の上面に複数枚が互いに隣接するように並設されている。この断熱材１１は省略することもできるが、断熱材１１を設ける場合には、断熱材１１も防水下地の一部とすることができる。
【００３６】
断熱パネル１２は、断熱材１１の上に互いに隣接するように複数枚並設されている。各断熱パネル１２の構造は同じにすることができるが、外形状は変更してもよい。図４に示すように、断熱パネル１２は略矩形状とされており、その外形状は長方形であってもよいし、正方形であってもよい。断熱パネル１２の厚みは、特に限定されるものではないが、例えば５ｍｍ以上５０ｍｍ以下に設定することができる。また、断熱パネル１２の幅や長さは、数十ｃｍ以上の任意の寸法に設定することができる。
【００３７】
断熱パネル１２は、断熱材１２ａと、金属外皮１２ｂとを備えている。断熱材１２ａは、樹脂発泡体で構成されている。樹脂発泡体としては、例えば、押し出し法ポリスチレンフォーム（XPS)、ビーズ法ポリスチレンフォーム（EPS)、フェノールフォーム、硬質ポリウレタンフォーム、発泡ポリエチレン等をあげることができる。断熱パネル１２を防水下地に締結固定する場合は、耐候性、耐熱性の高い硬質ポリウレタンフォームが好ましく、さらに、難燃性の高いイソシアヌレート環を含むいわゆるポリイソシアヌレートフォームが好ましい。断熱パネルを接着固定する場合は、下地の不陸を吸収するために、断熱材の中では比較的硬度の低い発泡ポリエチレンが好ましい。
【００３８】
断熱材１２ａの外形状は、断熱パネル１２の外形状と同じであり、従って略矩形状である。すなわち、図４に示すように、断熱材１２ａの縁部を構成する４辺（第１辺Ａ１、第２辺Ａ２、第３辺Ａ３、第４辺Ａ４）は、それぞれ直線状に延びており、連続する２辺（第１辺Ａ１と第２辺Ａ２、第２辺Ａ２と第３辺Ａ３、第３辺Ａ３と第４辺Ａ４、第４辺Ａ４と第１辺Ａ１）は互いに略直角をなすように交わっている。
【００３９】
図５に示すように、金属外皮１２ｂは、断熱材１２ａの上面に接着された基材金属板１２ｃ及び該基材金属板１２ｃの上面を被覆する樹脂製の被覆材１２ｄを有している。基材金属板１２ｃは、例えば鋼鈑等で構成されており、厚みは特に限定されるものではないが、例えば０．５ｍｍ以上１．５ｍｍ以下の範囲で設定することができる。
【００４０】
金属外皮１２ｂの外形状は略矩形状とされており、図４に示すように、金属外皮１２ｂの縁部を構成する４辺（第１辺Ｂ１、第２辺Ｂ２、第３辺Ｂ３、第４辺Ｂ４）は、それぞれ直線状に延びており、連続する２辺（第１辺Ｂ１と第２辺Ｂ２、第２辺Ｂ２と第３辺Ｂ３、第３辺Ｂ３と第４辺Ｂ４、第４辺Ｂ４と第１辺Ｂ１）は互いに略直角をなすように交わっている。
【００４１】
断熱材１２ａの縁部を構成している連続する２辺は、金属外皮１２ｂの縁部から水平方向に張り出すように形成されている。すなわち、断熱材１２ａの第１辺Ａ１及び第２辺Ａ２は、それぞれ、金属外皮１２ｂの縁部を構成している第１辺Ｂ１及び第２辺Ｂ２よりも長くなっているとともに、金属外皮１２ｂの外方に位置付けられている。また、断熱材１２ａの第１辺Ａ１と、金属外皮１２ｂの第１辺Ｂ１とは互いに平行に延びている。また、断熱材１２ａの第２辺Ａ２と、金属外皮１２ｂの第２辺Ｂ２も互いに平行に延びている。
【００４２】
図５に示すように、断熱材１２ａの第１辺Ａ１と金属外皮１２ｂの第１辺Ｂ１との離間距離Ｌは、特に限定されるものではないが、例えば１０ｍｍ以上３０ｍｍ以下に設定することができる。尚、この実施形態では、断熱材１２ａの連続する２辺が金属外皮１２ｂの縁部から張り出すように形成されているが、これに限らず、断熱材１２ａの任意の１辺のみが金属外皮１２ｂの縁部から張り出すように形成してもよい。
【００４３】
被覆材１２ｄは、軟質塩化ビニル樹脂またはポリオレフィン樹脂で構成することができ、基材金属板１２ｃに接着された状態で一体化されている。
【００４４】
図５に示すように、断熱パネル１２の断熱材１２ａにおける金属外皮１２ｂの縁部から張り出した部分の上面１２ｆと、金属外皮１２ｂの上面（被覆材１２ｄの上面）とは同一面上に位置するように形成されている。
【００４５】
一方、断熱パネル１２の下面には金属外皮１２ｂが設けられていない。従って、断熱パネル１２の下面は断熱材１２ａが露出するように構成されているので、この実施形態では、断熱材１２ａの下面が断熱材１１の上面に直接接触することになる。断熱パネル１２の下面には金属外皮１２ｂが無いので、断熱パネル１２の構造がシンプルになるとともに、部品点数が少なくて済む。また、断熱パネル１２の下面に発泡材からなる断熱材１２ａが臨むことになるので、例えば断熱材１１の上面に多少の凹凸や段差があったとしても、断熱材１２ａが断熱材１１の上面に沿うように変形して断熱材１１の上面の形状に追従するようになる。
【００４６】
断熱パネル１２を成形する際には、図示しないが、上型と下型とを有する成形装置を用意し、上型を開いた状態にし、下型に、被覆材１２ｄが下となるように金属外皮１２ｂを配置する。その後、下型内の金属外皮１２ｂ上に、幅方向の中心線に沿ってウレタン原液を充填していく。このとき、ウレタン原液の充填箇所が、金属外皮１２ｂの第１辺Ｂ１及び第２辺Ｂ２から離れるようにしておくのが好ましい。こうすることで、その後に上型を閉じると、ウレタン原液が発泡して充填箇所から金属外皮１２ｂの縁部に到達するまでにウレタン原液の硬化が進行するので、ウレタン原液が被覆材１２ｄ側に回り込みにくくなる。尚、断熱パネル１２の成形方法は上記した方法に限られるものではなく、例えば、断熱材１２ａを成形した後、断熱材１２ａに金属外皮１２ｂを接着する方法であってもよい。
【００４７】
固定用ディスク１３は、略円形の鋼板と該鋼板の上面に設けられた樹脂層とを備えている。樹脂層は、被覆材１２ｄと同じ材料で構成することができる。複数枚の固定用ディスク１３を使用しており、これら固定用ディスク１３は、互いに間隔をあけて断熱パネル１２の上面に配置されている。固定用ディスク１３の直下方に合成スラブ用デッキプレート１０の凸形状部分が位置するように、固定用ディスク１３の配設位置が設定されている。
【００４８】
固定用ビス１４は、例えば、セルフドリリングスクリュー等で構成することができ、固定用ディスク１３、断熱パネル１２及び断熱材１１を上方から貫通して合成スラブ用デッキプレート１０の凸形状部分にねじ込まれる。固定用ビス１４を合成スラブ用デッキプレート１０の凸形状部分にねじ込むことで、固定用ディスク１３を断熱パネル１２に押し付け、固定用ディスク１３が押し付けられた断熱パネル１２は断熱材１１を合成スラブ用デッキプレート１０の凸形状部分に押し付けるようになる。
【００４９】
防水シート１５は、断熱パネル１２の上面に敷設される合成樹脂製のシートで構成されている。防水シート１５は、被覆材１２ｄと同じ材料、即ち軟質塩化ビニル樹脂またはポリオレフィン樹脂で構成することができる。防水シート１５と、被覆材１２ｄと、固定用ディスク１３の樹脂層とは、同じ材料とするのが好ましい。防水シート１５は複数枚使用することができ、図１や図２に示すように、隣合う防水シート１５は厚み方向に重なるように敷設し、隣合う防水シート１５を接合して防水シート１５の下に水が浸入しないようにする。また、防水シート１５によって固定用ディスク１３及び固定用ビス１４の頭部が覆われることになる。防水シート１５と、固定用ディスク１３の樹脂層とは接合されている。
【００５０】
また、防水シート１５の下面は、金属外皮１２ｂの被覆材１２ｄに接合されており、防水シート１５の下面と金属外皮１２ｂの被覆材１２ｄとは部分的に接合してもよいし、全体を接合してもよい。
【００５１】
防水シート１５同士の接合方法、防水シート１５と被覆材１２ｄとの接合方法、防水シート１５と固定用ディスク１３の樹脂層との接合方法は、それぞれ、熱融着、溶剤を使用した溶着等の各種溶着法や、従来から用いられている接着剤を使用した接着法を使用することができる。
【００５２】
（施工方法）
次に、上記のように構成された防水構造の施工方法について説明する。この実施形態は新築用の防水構造であり、まず、合成スラブ用デッキプレート１０の上に複数枚の断熱材１１を互いに隣接するように並設する。
【００５３】
その後、断熱材１１の上に複数枚の断熱パネル１２を互いに隣接するように並設する（図４参照）。このとき、断熱パネル１２の断熱材１２ａの第１辺Ａ１が、隣合う断熱パネル１２の断熱材１２ａの第３辺Ａ３と接するように配設する。また、断熱パネル１２の断熱材１２ａの第２辺Ａ２が、隣合う断熱パネル１２の断熱材１２ａの第４辺Ａ４と接触するように配設する。つまり、断熱材１２ａにおける金属外皮１２ｂの縁部から張り出し部分が、金属外皮１２ｂの第３辺部Ｂ３または第４辺部Ｂ４と接触するように、複数枚の断熱パネル１２を並設する。断熱パネル１２を並設した状態では、断熱材１２ａにおける金属外皮１２ｂの縁部から張り出した部分の上面１２ｆと、金属外皮１２ｂの上面とが同一面上に位置しているので、略平面状になる（図５参照）。
【００５４】
尚、図６に示す変形例のように、断熱パネル１２の端部には、隣接する他の断熱パネル１２に嵌合する凸部１２ｇまたは凹部１２ｅが形成されていてもよい。一方の断熱パネル１２の凸部１２ｇが、他方の断熱パネル１２の凹部１２ｅに嵌合することで、断熱パネル１２同士を一体化することができる。
【００５５】
断熱パネル１２を並設した後、複数枚の固定用ディスク１３を合成スラブ用デッキプレート１０の凸形状部分の直上方に配置する（図２参照）。固定用ディスク１３を配置した後、固定用ビス１４を、固定用ディスク１３の上方から該固定用ディスク１３に貫通させるとともに、断熱パネル１２及び断熱材１１に貫通させ、合成スラブ用デッキプレート１０の凸形状部分にねじ込む。これにより、断熱パネル１２及び断熱材１１の複数箇所が合成スラブ用デッキプレート１０に対して締結固定される。また、断熱パネル１２の複数箇所を合成スラブ用デッキプレート１０に対して接着剤により接着固定するようにしてもよい。
【００５６】
固定用ビス１４のねじ込み作業が終わった後に、複数枚の防水シート１５を断熱パネル１２の上面に敷設する。そして、重なり合った防水シート１５同士を接合し、また、防水シート１５と被覆材１２ｄとを接合し、さらに防水シート１５と固定用ディスク１３の樹脂層とを接合する。
【００５７】
（実施形態の作用効果）
以上説明したように、この実施形態によれば、合成スラブ用デッキプレート１０の上に複数枚の断熱パネル１２を互いに隣接するように並設し、各断熱パネル１２の複数箇所を合成スラブ用デッキプレート１０に締結固定した後、防水シート１５を敷設して断熱パネル１２の金属外皮１２ｂに接合することで勾配屋根の防水構造を得ることができる。
【００５８】
例えば強い風が吹いた場合を想定すると、防水シート１５に対して浮くような力が作用するが、この力は断熱パネル１２の金属外皮１２ｂとの接合部分を介して断熱パネル１２の複数の締結部分（固定用ビス１４による締結部分）に伝わることになるので、荷重が複数の締結部分に分散されて作用する。従って、各締結部分に加わる荷重、特に水平方向の荷重が低減するので、長期間に亘って防水性能を維持することができる。
【００５９】
また、断熱パネル１２はその下面から断熱材１２ａが露出していて下面には金属外皮１２ｂが無いので、上下に金属外皮を設ける場合に比べて部材の数が減少するとともに、構造がシンプルになり、低コスト化を図ることができる。
【００６０】
また、断熱材１２ａの下面が断熱材１１の上面に直接接触することで、断熱材１２ａが断熱材１１の上面に沿うように変形して断熱材１１の上面の形状に追従する。よって、断熱材１１の上面に多少の凹凸や段差があったとしても、断熱パネル１２の上面に現れにくくなる。
【００６１】
さらに、断熱材１２ａの連続する２辺が金属外皮１２ｂの縁部から張り出しているので、並設した状態で２方向に隣合う断熱パネル１２の金属外皮１２ｂ同士が、例えば熱膨脹等によって干渉しないようにすることができる。
【００６２】
（実施形態２）
図７〜図９は、本発明の実施形態２に係る屋根１を示すものである。実施形態２は、屋根１の改修を行う場合に適用される形態であり、既存の断熱材１１を合成スラブ用デッキプレート１０に固定する構造を備えている点で実施形態１とは異なっている。以下、実施形態１と同じ部分には同じ符号を付して説明を省略し、実施形態１と異なる部分について詳細に説明する。
【００６３】
断熱材１１は、改修を行う前に合成スラブ用デッキプレート１０に固定されている既存の断熱材である。実施形態２の屋根１は、断熱材１１を固定するための固定用ディスク１７と固定用ビス１８とを備えている。固定用ディスク１７及び固定用ビス１８は、断熱パネル１２を固定するための固定用ディスク１３及び固定用ビス１４と同様に構成されている。すなわち、固定用ビス１８は固定用ディスク１７を貫通した後、断熱材１１を貫通して合成スラブ用デッキプレート１０の凸形状部分にねじ込まれる。
【００６４】
また、実施形態２では既存の防水シート１９が断熱材１１の上に敷設されている。既存の防水シート１９と固定用ディスク１７とは接合されている。従って、実施形態２の場合、既存の防水シート１９及び断熱材１１はそのままにしておき、その上に実施形態１と同様な防水構造を設ける。実施形態２の場合も実施形態１と同様な作用効果を奏することができる。
【００６５】
（実施形態３）
図１０及び図１１は、本発明の実施形態３に係る屋根１を示すものである。実施形態３は、既設の折板（防水下地）２０で構成された屋根１の改修を行う場合に適用される形態である点で実施形態１とは異なっている。以下、実施形態１と同じ部分には同じ符号を付して説明を省略し、実施形態１と異なる部分について詳細に説明する。
【００６６】
断熱パネル１２は、折板２０の上に並設されている。固定用ビス１４は、固定用ディスク１３を貫通した後、断熱パネル１２を貫通して折板２０の凸形状部分にねじ込まれている。実施形態３の場合も実施形態１と同様な作用効果を奏することができる。
【００６７】
（実施形態４）
図１２は、本発明の実施形態４に係る屋根１を示すものである。実施形態４は、既設の断熱材１１を母屋（防水下地）２２に固定する構造を備えている点で実施形態１とは異なっている。以下、実施形態１と同じ部分には同じ符号を付して説明を省略し、実施形態１と異なる部分について詳細に説明する。
【００６８】
断熱材１１は、改修を行う前に母屋２２に固定されている既存の断熱材１１である。実施形態４の屋根１は、断熱材１１を固定するためのビス２３と、隣接する断熱材１１の隙間を塞ぐためのテープ２４とを備えている。ビス２３は、断熱材１１を貫通した後、母屋２２に締結されている。
【００６９】
また、実施形態４では、既存の防水シート２５が断熱材１１の上に敷設されている。既存の防水シート２５と断熱材１１とは接合されている。従って、実施形態４の場合、既存の防水シート２５及び断熱材１１はそのままにしておき、その上に実施形態１と同様な防水構造を設ける。実施形態４の場合も実施形態１と同様な作用効果を奏することができる。
【００７０】
（実施形態５）
図１３及び図１４は、本発明の実施形態５に係る屋根１を示すものである。実施形態５は、断熱材１１及び断熱パネル１２を接着固定するようにしている点で実施形態１とは異なっている。以下、実施形態１と同じ部分には同じ符号を付して説明を省略し、実施形態１と異なる部分について詳細に説明する。尚、図１３等に示す符号Ｔは、隣接する断熱パネル１２、１２の隙間を覆うように貼り付けられる絶縁用のアルミテープである。
【００７１】
実施形態５では、固定用ディスク及び固定用ビスを使用することなく、断熱材１１の複数箇所を合成スラブ用デッキプレート１０に対して接着剤により接着固定するようにしている。また、防水シート１５と断熱パネル１２との間には、接着剤からなる接着剤層３０が設けられており、防水シート１５と断熱パネル１２とは接着剤によって接着されている。さらに、断熱材１１と断熱パネル１２との間には、接着剤からなる接着剤層３１が設けられており、断熱材１１と断熱パネル１２とは接着剤によって接着されている。実施形態５の場合も実施形態１と同様な作用効果を奏することができる。
【００７２】
（実施形態６）
図１５は、本発明の実施形態６に係る屋根１を示すものである。実施形態６は、屋根１の改修を行う場合に適用される形態であり、防水シート１５を接着固定するようにしている。以下、実施形態１と同じ部分には同じ符号を付して説明を省略し、実施形態１と異なる部分について詳細に説明する。
【００７３】
実施形態６では、固定用ディスク１７及び固定用ビス１８を使用して、断熱材１１の複数箇所を合成スラブ用デッキプレート１０に対して固定するようにしている。また、防水シート１５と断熱パネル１２との間には、接着剤からなる接着剤層３０が設けられており、防水シート１５と断熱パネル１２とは接着剤によって接着されている。さらに、既存の防水シート１９と断熱パネル１２との間には、接着剤からなる接着剤層３３が設けられており、既存の防水シート１９と断熱パネル１２とは接着剤によって接着されている。実施形態６の場合も実施形態１と同様な作用効果を奏することができる。
【００７４】
（実施形態７）
図１６は、本発明の実施形態７に係る屋根１を示すものである。実施形態７は、実施形態３と同様に、既設の折板（防水下地）２０で構成された屋根１の改修を行う場合に適用される形態である。また、実施形態７は、断熱パネル１２が接着固定されている点で実施形態３とは異なっている。以下、実施形態３と同じ部分には同じ符号を付して説明を省略し、実施形態３と異なる部分について詳細に説明する。
【００７５】
実施形態７では、固定用ディスク及び固定用ビスを使用することなく、断熱パネル１２の複数箇所を折板（防水下地）２０に対して接着剤により接着固定するようにしている。また、防水シート１５と断熱パネル１２との間には、接着剤からなる接着剤層３０が設けられており、防水シート１５と断熱パネル１２とは接着剤によって接着されている。実施形態７の場合も実施形態１と同様な作用効果を奏することができる。
【００７６】
（実施形態８）
図１７は、本発明の実施形態８に係る屋根１を示すものである。実施形態８は、実施形態４と同様に、既設の断熱材１１を母屋（防水下地）２２に固定する構造を備えている点で実施形態１とは異なっている。以下、実施形態１と同じ部分には同じ符号を付して説明を省略し、実施形態１と異なる部分について詳細に説明する。
【００７７】
実施形態８では、固定用ディスク及び固定用ビスを使用していない。また、防水シート１５と断熱パネル１２との間には、接着剤からなる接着剤層３０が設けられており、防水シート１５と断熱パネル１２とは接着剤によって接着されている。さらに、既存の防水シート２５と断熱パネル１２との間には、接着剤からなる接着剤層３４が設けられており、既存の防水シート２５と断熱パネル１２とは接着剤によって接着されている。実施形態８の場合も実施形態１と同様な作用効果を奏することができる。
【００７８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７９】
以上説明したように、本発明に係る防水構造は、平部が一方向に傾斜した構造の屋根に適用することができる。
【符号の説明】
【００８０】
１            屋根
１０          デッキプレート（防水下地）
１１          下層断熱材
１２          断熱パネル
１２ａ        断熱材
１２ｂ        金属外皮
１２ｃ        基材金属板
１２ｄ        被覆材
１５          防水シート
２０          折板（防水下地）
２２          母屋（防水下地）
【図１】
2019105154.tif 000003
【図２】
2019105154.tif 000004
【図３】
2019105154.tif 000005
【図４】
2019105154.tif 000006
【図５】
2019105154.tif 000007
【図６】
2019105154.tif 000008
【図７】
2019105154.tif 000009
【図８】
2019105154.tif 000010
【図９】
2019105154.tif 000011
【図１０】
2019105154.tif 000012
【図１１】
2019105154.tif 000013
【図１２】
2019105154.tif 000014
【図１３】
2019105154.tif 000015
【図１４】
2019105154.tif 000016
【図１５】
2019105154.tif 000017
【図１６】
2019105154.tif 000018
【図１７】
2019105154.tif 000019